(57)【特許請求の範囲】
【請求項１】
ベース部材上の所定領域を覆うカバー体を当該ベース部材に対し着脱可能に取り付けるカバー体の取付構造であって、
前記カバー体は、前記ベース部材上に設けられたフック部に係合可能な開口部を有する係合基体と、前記ベース部材に対する押圧方向および該押圧方向に略直交する方向に関して弾性変形可能で前記係合基体と一体的に形成されたバネ体とを備え、
前記ベース部材は、前記フック部に前記開口部が係合する際に前記バネ体に対応する位置に、前記係合基体の係合動作に応じて前記バネ体を所定方向に案内するガイド部を備えており、
前記カバー体を前記ベース部材に装着する際には、前記バネ体が前記係合基体の係合動作に応じて前記ガイド部によって案内されながら、前記係合基体の前記開口部が前記フック部に係合し、
前記バネ体の付勢力によって前記カバー体の前記ベース部材に対する装着状態が維持される、
ことを特徴とするカバー体の取付構造。
【請求項２】
前記カバー体を前記ベース部材から取り外す際には、前記係合基体を前記バネ体の付勢力に抗して前記ベース部材側に押し込むことによって、前記係合基体の前記開口部の前記フック部に対する係合状態を解除する、ことを特徴とする請求項１に記載のカバー体の取付構造。
【請求項３】
前記バネ体は、前記係合基体から前記ベース部材に対する押圧方向に傾斜しながら伸長する板材で構成され、
前記ガイド部は、この板材の比較的先端に近い側を前記押圧方向に略直交する方向に傾斜しながら案内する、
ことを特徴とする請求項１又は２に記載のカバー体の取付構造。
【請求項４】
前記ベース部材上に複数のフック部が設けられると共に、前記カバー体は前記フックにそれぞれ係合する複数の開口部を備えており、
これら開口部の前記フック部に対する複数の係合部の少なくとも一つについて、前記係合基体と前記バネ体と前記ガイド部とが設けられている、
ことを特徴とする請求項１から３の何れかに記載のカバー体の取付構造。
【請求項５】
前記ベース部材は、光ピックアップと、該光ピックアップを光ディスクの半径方向に移送するトラバース機構部とを備えたトラバース装置を搭載するトラバースベースであり、
前記カバー体は、光ピックアップ移送用の主軸，副軸および送りネジを含む前記トラバース機構部を覆うトラバースカバーである、
ことを特徴とする請求項１から４の何れかに記載のカバー体の取付構造。
【発明の詳細な説明】
【技術分野】
【０００１】
本開示は、カバー体の取付構造、より詳しく言えば、ベース部材上の所定領域を覆うカバー体を当該ベース部材に対し着脱可能に取り付ける取付構造、に関する。
【背景技術】
【０００２】
周知のように、ノート型のパーソナルコンピュータ（所謂ノートパソコン）やブルーレイディスク（ＢＤ）プレーヤなどに装備される光ディスク装置には、光ディスクに対し情報信号の記録及び／又は再生を行う光ピックアップを搭載したベース部材（トラバースベース）と、当該トラバースベース上にて光ピックアップを光ディスクの半径方向に移送する機構部（トラバース機構部）とを有するトラバース装置が装備されている。
【０００３】
また、かかるトラバース装置として、少なくとも、光ピックアップ移送用の主軸，副軸および送りネジ等の主要部品を含む前記トラバース機構部を覆うカバー体（トラバースカバー）を設け、該トラバースカバーをトラバースベースに対し着脱可能に取り付けるようにしたものは、一般に良く知られている（例えば、特許文献１参照）。
【０００４】
このようなトラバースカバーを設けることにより、トラバース装置の主要部品である前記移送用の主軸，副軸および送りネジ等に、ユーザが不用意に触れてしまうことを確実に防止することができ、また、前記主軸，副軸あるいは送りネジに塗布されたグリース等の潤滑剤が周囲に飛散して、光ディスクなどを汚損することを効果的に抑制することができる。
【先行技術文献】
【特許文献】
【０００５】
【特許文献１】特開２００６−７９７５２号公報
【発明の概要】
【発明が解決しようとする課題】
【０００６】
しかしながら、ベース部材上の所定領域を覆うカバー体を当該ベース部材に対し着脱可能に取り付ける取付構造において、カバー体の取付スペースが制約されて、その着脱作業に用いる工具等の挿入・操作スペースが確保し難く、カバー体の取付／取り外しが容易に行えない場合も生じ得る。前述のトラバース装置の場合を例にとって説明すれば、光ピックアップやその移送用モータ等のサイズや形状あるいは配置などによっては、前記トラバース機構部を覆うトラバースカバーのトラバースベース上での取付スペースが制約されて、工具等を用いたトラバースカバーの着脱作業が行えない状況が生じ得る。
【０００７】
本開示は、かかる技術課題に鑑みてなされたもので、ベース部材上の所定領域を覆うカバー体を当該ベース部材に対し着脱可能に取り付ける取付構造において、比較的小さい取付スペースでも、ベース部材に対するカバー体の取付／取り外しを容易に行えるようにすることを、基本的な目的とする。
【課題を解決するための手段】
【０００８】
このため、本開示におけるカバー体の取付構造は、ベース部材上の所定領域を覆うカバー体を当該ベース部材に対し着脱可能に取り付けるカバー体の取付構造であって、前記カバー体は、前記ベース部材上に設けられたフック部に係合可能な開口部を有する係合基体と、前記ベース部材に対する押圧方向および該押圧方向に略直交する方向に関して弾性変形可能で前記係合基体と一体的に形成されたバネ体とを備え、前記ベース部材は、前記フック部に前記開口部が係合する際に前記バネ体に対応する位置に、前記係合基体の係合動作に応じて前記バネ体を所定方向に案内するガイド部を備えており、前記カバー体を前記ベース部材に装着する際には、前記バネ体が前記係合基体の係合動作に応じて前記ガイド部によって案内されながら、前記係合基体の前記開口部が前記フック部に係合し、前記バネ体の付勢力によって前記カバー体の前記ベース部材に対する装着状態が維持される、ことを特徴としたものである。
【発明の効果】
【０００９】
本開示におけるカバー体の取付構造によれば、ベース部材に対する押圧方向の力をカバー体に加えることで、係合基体と一体的に形成されたバネ体を押圧方向およびその略直交方向に弾性変形させることができ、これにより、ベース部材に設けられたガイド部に沿ってバネ体を移動させ、このバネ体と一体的な係合基体に設けた開口部をベース部材上に設けられたフック部に係合させることができる。すなわち、ベース部材に対する押圧方向の力をカバー体に加えるだけの簡単な作業で、ベース部材に対して前記カバー体を装着することができ、取付スペースが比較的制約された下でも、ベース部材に対するカバー体の装着を容易に行うことができる。
【図面の簡単な説明】
【００１０】
【図１】本開示における実施の形態に係るトラバースカバーを備えたトラバース装置を斜め上方から見て示した全体斜視図；
【図２】前記トラバースカバーを取り外した状態を示す前記トラバース装置の斜め上方からの全体斜視図；
【図３】トラバース機構部を取り除いた状態で前記トラバースカバーのトラバースベースへの取付状態を示す図で、トラバース機構部の主軸側の斜め上方から見て示した全体斜視図；
【図４】トラバース機構部を取り除いた状態で前記トラバースカバーのトラバースベースへの取付状態を示す図で、トラバース機構部の副軸側の斜め上方から見て示した全体斜視図；
【図５】前記トラバースカバーのトラバースベースへの取付構造の要部を取付前の状態で示す部分拡大斜視図；
【図６】図５における矢印Ｙ６方向から見て示したブラケット部および板バネの説明図；
【図７】前記トラバースカバーのトラバースベースへの取付動作を説明するための一連の説明図の一部；
【図８】前記トラバースカバーのトラバースベースへの取付動作を説明するための一連の説明図の一部；
【図９】前記トラバースカバーのトラバースベースへの取付動作を説明するための一連の説明図の一部；
【図１０】前記トラバースカバーのトラバースベースへの取付動作を説明するための一連の説明図の一部；
【図１１】前記トラバースカバーのトラバースベースへの取付動作を説明するための一連の説明図の一部；
【図１２】前記トラバースカバーのトラバースベースへの取付動作を説明するための一連の説明図の一部；
【図１３】前記トラバースカバーのトラバースベースへの取付動作を説明するための一連の説明図の一部。
【発明を実施するための形態】
【００１１】
本開示におけるカバー体の取付構造は、上述の構成を基本として、以下のような態様をとることができる。すなわち、前記構成のカバー体の取付構造において、前記カバー体を前記ベース部材から取り外す際には、前記係合基体を前記バネ体の付勢力に抗して前記ベース部材側に押し込むことによって、前記係合基体の前記開口部の前記フック部に対する係合状態を解除する、ように構成することができる。
【００１２】
この構成によれば、前記係合基体をバネ体の付勢力に抗してベース部材側に押し込むだけの簡単な作業で、係合基体の開口部のフック部に対する係合状態を解除して、カバー体をベース部材から取り外すことができる。
【００１３】
また、以上の場合において、前記ベース部材に対する押圧方向および該押圧方向に略直交する方向に関して弾性変形可能で前記係合基体と一体的に形成された前記バネ体は、前記係合基体から前記ベース部材に対する押圧方向に傾斜しながら伸長する板材で構成され、前記ガイド部は、この板材の比較的先端に近い側を前記押圧方向に略直交する方向に傾斜しながら案内する、ことが望ましい。
【００１４】
この構成によれば、前記ベース部材に対する押圧方向および該押圧方向に略直交する方向に関して弾性変形可能で前記係合基体と一体的に形成されたバネ体を板材で構成したことにより、簡素な構造でバネ体を構成し、また、簡単な構造でバネ体を係合基体と一体的に形成することができる。
【００１５】
更に、以上の場合において、前記ベース部材上に複数のフック部が設けられると共に、前記カバー体は前記フックにそれぞれ係合する複数の開口部を備えており、これら開口部の前記フック部に対する複数の係合部の少なくとも一つについて、前記係合基体と前記バネ体と前記ガイド部とが設けられている、ようにしてもよい。
【００１６】
この構成によれば、ベース部材上に複数のフック部を設けると共に、カバー体は前記フックにそれぞれ係合する複数の開口部を備えていることにより、カバー体全体をより安定してベース部材に装着することができる。
【００１７】
また更に、以上の場合において、前記ベース部材は、光ピックアップと、該光ピックアップを光ディスクの半径方向に移送するトラバース機構部とを備えたトラバース装置を搭載するトラバースベースであり、前記カバー体は、光ピックアップ移送用の主軸，副軸および送りネジを含む前記トラバース機構部を覆うトラバースカバーであってもよい。
【００１８】
この構成によれば、光ピックアップ移送用の主軸，副軸および送りネジを含むトラバース機構部を覆うトラバースカバーについて、簡単な作業でトラバースベースに対して取付／取り外しを行うことができ、取付スペースが比較的制約された下でも、トラバースベースに対するトラバースカバーの取付／取り外しを容易に行うことができるようになる。
【００１９】
＜実施の形態＞
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者等は、当業者が本開示を十分に理解するために添付図面および以下の説明を提供するのであって、これらによって特許請求の範囲に記載の主題を限定することを意図するものではない。
【００２０】
また、以下の説明では、特定の方向を意味する用語（例えば、「上」，「下」，「左」，「右」，「前」，「後」及びそれらを含む他の用語、「時計回り方向」，「反時計回り方向」）を使用する場合があるが、それらの使用は図面を参照した発明の理解を容易にするためであって、それらの用語の意味によって本発明は限定的に解釈されるべきものではない。
【００２１】
図１は、本開示における実施の形態に係るトラバースカバー２０を備えたトラバース装置１を斜め上方から見て示した全体斜視図である。また、図２は、前記トラバースカバー２０を取り外した状態を示す前記トラバース装置１の斜め上方からの全体斜視図である。更に、図３及び図４は、トラバース機構部を取り除いた状態で前記トラバースカバー２０のトラバースベース１０への取付状態を示す図であり、トラバース機構部の主軸３１側の斜め上方から（図３）及び副軸３２側の斜め上方から（図４）、それぞれ見て示した全体斜視図である。
【００２２】
これらの図に示すように、本実施形態に係るトラバース装置１は、平面視で略矩形状もしくは正方形状に形成されたトラバースベース１０を備えており、その４隅のベース支持部１０ｃ（図３及び図４参照）には、弾性部材で形成されたダンパ１０ｄが装着されている（図１及び図２参照）。トラバースベース１０は、これら４つのダンパ１０ｄを介して、ディスク装置の筐体（不図示）に対しフローティング（上下浮動可能）状態で支持される。
【００２３】
前記トラバースベース１０には、光ディスク（不図示）を回転可能に支持するターンテーブル３と、該ターンテーブル３を回転駆動するスピンドルモータ４と、光ディスクに対して情報信号の記録及び／又は再生を行う光ピックアップ７と、が配設されている。光ピックアップ７は、例えば、ＢＤ用とＤＶＤ用の２つのレンズ７ａ，７ｂを備え、これらレンズはベース部材６（ピックアップベース）に上下可動に取り付けられている。このピックアップベース６に光ピックアップ７を搭載してピックアップユニット５が構成されている。
【００２４】
そして、このピックアップユニット５を（従って、光ピックアップ７を）を光ディスクの半径方向に移送する移送機構３０（トラバース機構部）が、トラバースベース１０上に配置されている。このトラバースベース１０及び前記ピックアップベース６は、例えば合成樹脂製である。
【００２５】
トラバース機構部３０は、前記ターンテーブル３及びピックアップユニット５の両側にて互いに平行に延設された主軸３１及び副軸３２と、前記主軸３１の外側にて平行に延設された駆動軸３３とを備えている。この駆動軸３３は、従来公知の支持構造により、トラバースベース１０上で軸線回りに回転可能に支持されている。これら主軸３１，副軸３２及び駆動軸３３は何れも、好ましくは、金属製である。前記主軸３１及び副軸３２の両端近傍部分は、従来公知の支持構造によりトラバースベース１０に対して支持されている。
【００２６】
駆動軸３３の一端側には、当該駆動軸３３を回転駆動するためのモータ３５が配設されている。このモータ３５は、好ましくはステッピングモータとされ、その出力側が駆動軸３３の一端と連結されている。この駆動軸３３の外周部には、光ピックアップ７を移送するための送りネジとしての雄ネジ３３ｓが螺設されている。
前記ピックアップベース６は、その全体形状が平面視で略長方形状に形成され、前記主軸３１と副軸３２との間に配置されている。尚、本明細書において、「長方形」とは、その一形態として「正方形」である場合を含むものである。
【００２７】
図２に示されるように、ピックアップベース６の副軸３２に近い側の側部には、副軸３２に側方から係合するガイド部材６ｇ（スライドガイド）が一体的に設けられている。このスライドガイド６ｇは、横向きのＵ字形溝部を有し、この溝部が副軸３２に対して摺動（スライド）自在に係合している。一方、ピックアップベース６の主軸３１に近い側の側部には、後述するように、駆動軸３３の回転動作に伴って駆動軸３３及び主軸３１に沿って移動する従動部材８が一体的に結合されている。
【００２８】
この従動部材８の側部には、主軸３１を挿通させる環状穴部を有するガイド部材８ｇ（スライドガイド）が一体的に設けられている。このスライドガイド８ｇは、好ましくは、主軸３１の長手方向に沿って前後一対に２個設けられ、主軸３１をスライド自在に挿通させている。また、従動部材８の側部には、前後一対の前記スライドガイド８ｇ，８ｇ間から側方に突出するナットピース９が一体的に設けられている。このナットピース９は、下方に開口したコ字状の縦断面形状を有して、駆動軸３３に対し上方から係合しており、そのコ字状溝部の内面に、駆動軸３３の送りネジ３３ｓと係合する歯部（不図示）を備えている。
【００２９】
モータ３５が駆動されると、モータ出力軸に結合された駆動軸３３が回転し、これに伴って、駆動軸３３の送りネジ３３ｓと係合する歯部（不図示）を有するナットピース９が（従って、従動部材８が）駆動軸３３の軸線に沿って移動する。これにより、ピックアップベース６が（従って、ピックアップユニット５全体が）、スライドガイド８ｇ，８ｇを介して主軸３１に案内され、且つ、スライドガイド６ｇを介して副軸３２に案内されながら、光ディスクの半径方向にスムースに移送されるようになっている。
【００３０】
図１，図３及び図４に示されるように、トラバースカバー２０は、主として主軸３１の外側方および上方を覆う主軸カバー部２１と、主として副軸３２の外側方および上方を覆う副軸カバー部２５と、これら両カバー部２１，２５の一端部（ターンテーブル３に近い側の端部）どうしを連結する連結カバー部２９とで構成されている。これら主軸カバー部２１，副軸カバー部２５及び連結カバー部２９は（つまりトラバースカバー２０全体は）、例えば金属製の薄板を用いて一体に形成されている。この代わりに、それぞれを別体として形成し、それらを相互に接合するようにしてもよい。
【００３１】
なお、以下の説明において、主軸３１，副軸３２及び駆動軸３３、並びに主軸カバー部２１及び副軸カバー部２５などについて、「ターンテーブル３に近い側の端部」を「一端部」と称し、「ターンテーブル３から遠い側の端部」を「他端部」と称するものとする。
【００３２】
前記主軸カバー部２１は、主軸３１の外側方を覆う（つまり、主軸３１と駆動軸３３との間を仕切るようにして覆う）側壁部２２と、該側壁部２２の上端から略垂直に内側へ折れ曲がるようにして形成された上壁部２３とを備えており、主軸３１の一端部から他端部に至る手前側（モータ３５の手前側）までの長さにわたって、主軸３１の外側方および上方を覆っている。
【００３３】
また、副軸カバー部２５は、副軸３２の外側方を覆う側壁部２６と、該側壁部２６の上端から略垂直に内側へ折れ曲がるようにして形成された上壁部２７とを備えており、副軸３２の一端部から他端部への略中間部に至るまで、副軸３２の略半分の長さの外側方および上方を覆っている。前記ピックアップベース６の副軸３２に対するスライドガイド６ｇの外側方および上方は、この副軸カバー部２５によって覆われている。
【００３４】
このようなトラバースカバー２０を設けたことにより、トラバース機構部の主要部品である移送用の主軸３１，副軸３２および駆動軸３３の送りネジ３３ｓ等に、ユーザが不用意に触れてしまうことを確実に防止することができる。また、主軸３１，副軸３２あるいは送りネジ３３ｓに塗布されたグリース等の潤滑剤が周囲に飛散して、光ディスクを汚損することを効果的に抑制することができる。
【００３５】
次に、このトラバースカバー２０をトラバースベース１０に対して着脱可能に取り付ける取付構造について説明する。
図３及び図４に示されるように、トラバースベース１０の予め定められた複数の（本実施形態では、例えば４箇所）適所には、トラバースカバー２０を装着するために、第１〜第４のフック部１１ｆ〜１４ｆが設けられている。
【００３６】
前記第１フック部１１ｆは、主軸カバー部２１の一端部近傍を係止するためのもので、例えば、主軸３１の一端部近傍を支持する軸支部材１１の外側部分で構成されている。また、第２フック部１２ｆは、主軸カバー部２１の他端部近傍を係止するためのもので、例えば、主軸３１の他端側に近い途中部分を支持する軸支部材１２の外側部分で構成されている。
【００３７】
更に、第３フック部１３ｆは、副軸カバー部２５の一端部近傍を係止するためのもので、例えば、副軸３２の一端部近傍を支持する軸支部材１３の外側部分で構成されている。また更に、第４フック部１４ｆは、副軸カバー部２５の他端部近傍を係止するためのもので、例えば、副軸３２の一端部から副軸３２の略半分の長さに対応する箇所に形成された縦壁部１４の外面に形成されている。
【００３８】
これら第１〜第４のフック部１１ｆ〜１４ｆに対応してトラバースカバー２０には、これらフック部１１ｆ〜１４ｆを係合させる第１〜第４の開口部２０ａ〜２０ｄが形成されている。
第１開口部２０ａは、第１フック部１１ｆを係合させるためのもので、主軸カバー部２１の一端部近傍の側壁部２２に形成されている。また、第２開口部２０ｂは、第２フック部１２ｆを係合させるためのもので、主軸カバー部２１の他端部近傍の側壁部２２に形成されている。
【００３９】
更に、第３開口部２０ｃは、第３フック部１３ｆを係合させるためのもので、副軸カバー部２５の一端部近傍の側壁部２６に形成されている。また更に、第４開口部２０ｄは、第４フック部１４ｆを係合させるためのもので、副軸カバー部２５の他端部近傍の側壁部２６に形成されている。
第１，第３及び第４開口部２０ａ，２０ｃ及び２０ｄは何れも、正面視で矩形状に形成されている。また、第２開口部２０ｂの構成については、以下において詳しく説明する。
【００４０】
図５は、前記トラバースカバー２０のトラバースベース１０への取付構造の要部としての第２フック部１２ｆと第２開口部２０ｂの構成を取付前の状態で示す部分拡大斜視図である。
この図に示すように、主軸カバー部２１の他端部の外側面には、第２フック部１２ｆに係合可能な第２開口部２０ｂを有する係合基体４１が形成されている。この係合基体４１は、側壁部２２から略垂直に（上壁部２３と略平行に）外方へ張り出す連結部４２と、該連結部４２から略垂直に（側壁部２２と略平行に）下方へ張り出す係合本体部４３と、該係合本体部４３から略垂直に（連結部４２とも略垂直に）内方へ張り出すバネ保持部４４とを備えている。
【００４１】
前記連結部４２，係合本体部４３及びバネ保持部４４は（つまり係合基体４１は）、好ましくは、金属製の薄板で構成され、主軸カバー部２１と一体に形成されている。この代わりに、係合基体４１を別体に製作して主軸カバー部２１に接合するようにしてもよい。
【００４２】
前記第２開口部２０ｂは、係合本体部４３とバネ保持部４４とに跨って形成されているが、その大部分は係合本体部４３に形成され、残りの一部分のみがバネ保持部４４にかかっている。バネ保持部４４の下端部分には、当該バネ保持部４４から略垂直に（係合本体部４３と略平行に）張り出すブラケット部４５が形成されている。そして、該ブラケット部４５の下端部に板状のバネ体４６（板バネ）の基端側が一体的に保持されている。この板バネ４６は、ブラケット部４５の下端部から略垂直に外方へ張り出すように形成されている。
【００４３】
これらブラケット部４５及び板バネ４６は、好ましくは、金属製の薄板で構成され、係合基体４１と一体に形成されている。この代わりに、ブラケット部４５及び／又は板バネ４６を別体に製作して係合基体４１に接合するようにしてもよい。
【００４４】
図６は、図５における矢印Ｙ６方向から見て示したブラケット部４５及び板バネ４６の説明図である。この図から良く分かるように、板バネ４６は、係合基体４１の下端面（従って、バネ保持部４４の下端面）を含む面Ｌ１に対して、傾斜角αをもって斜め下方に傾斜しながら（つまり、トラバースベース１０に対する押圧方向に傾斜しながら）伸長している。
【００４５】
従って、主軸カバー部２１を押し下げることで係合基体４１を押し下げて行くと、先ず、板バネ４６の比較的先端に近い部分がトラバースベース１０に当接し、その後は、係合基体４１の押し下げ量に応じて、板バネ４６が弾性変形して上向きの付勢力が発生することになる。
【００４６】
また、図５に示されるように、トラバースベース１０の板バネ４６の比較的先端に近い部分には、係合基体４１を押し下げて行く際に、板バネ４６を内向き斜め下方に（つまり、トラバースベース１０に対する前記押圧方向と略直交する方向に傾斜しながら）案内するガイド部１６が設けられている。このガイド部１６は、トラバースベース１０の適所一部を、傾斜角β（後述する図７参照）をもって外向き斜め上方に切り起こすようにして構成されている。
【００４７】
従って、係合基体４１を押し下げて行く際に、板バネ４６の比較的先端に近い部分がガイド部１６に当接すると、その後は、係合基体４１の押し下げ量に応じて、板バネ４６が弾性変形して外向きの付勢力が発生することになる。
【００４８】
以上のように構成された係合基体４１の第２開口部２０ｂを第２フック１２ｆに係合させる係合動作について、図７〜図１３の一連の説明図を用いて以下に説明する。
図７は、トラバースカバー２０をトラバースベース１０に装着する装着プロセスの初期状態を示しており、この初期状態では、トラバースカバー２０の第１〜第４の開口部２０ａ〜２０ｄが、トラバースベース１０の第１〜第４のフック部１１ｆ〜１４ｆにそれぞれ対応した位置決め状態で、トラバースカバー２０がトラバースベース１０の上方に保持されている。
【００４９】
図７の初期状態から、矢印Ｙａで示される方向（下方）へ係合基体４１を押し下げて行くと、図８に示すように、係合本体部４３の下端内面の稜線４３ｒが、第２フック部１２ｆの上部外側の傾斜面１２ｋに当接する。そして、その後、係合本体部４３の前記稜線４３ｒが第２フック部１２ｆの傾斜面１２ｋに沿って移動するので、係合基体４１は、前記稜線４３ｒが矢印Ｙｂで示される方向に沿うように傾きながら押し下げられる。
【００５０】
そして、係合本体部４３の前記稜線４３ｒが第２フック部１２ｆの傾斜面１２ｋを通り過ぎた後は、図９に示すように、係合本体部４３の内面が第２フック１２ｆの略垂直な外側面１２ｊで案内され、矢印Ｙｃで示される方向に沿うように傾きながら押し下げられる。その後、係合基体４１の第２開口部２０ｂが第２フック１２ｆの係合溝部１２ｇに係合するまでの途中において、板バネ４６の比較的先端に近い部分が前述のガイド部１６の傾斜ガイド面１６ｋに接触し始める。
【００５１】
図９に示した状態から係合基体４１を更に押し下げると、図１０に示すように、板バネ４６の比較的先端に近い部分が、ガイド部１６の傾斜ガイド面１６ｋに当接して内向き（図１０における右方）斜め下方に案内されることにより、係合基体４１の押し下げ量に応じて、板バネ４６が内向きに（図１０における矢印Ｙｄ方向に）弾性変形する。
【００５２】
図１０に示した状態から係合基体４１を更に押し下げ、図１１に示すように、係合基体４１の第２開口部２０ｂの下端面２０ｐが第２フック１２ｆの係合溝部１２ｇの開口上部に設けられた突起部１２ｐの先端面と面一になる。このとき、板バネ４６はガイド部１６の傾斜ガイド面１６ｋに案内されて内方へ（図１０における矢印Ｙｄ方向へ）移動し、これに伴って、係合基体４１の下部も同方向へ移動する。また、このとき、板バネ４６はガイド部１６から略上向きの（図１０における矢印Ｙｅ方向の）付勢反力を受けている。
【００５３】
図１１に示した状態から、係合基体４１が、好ましくは若干量だけ更に押し下げられると共に、図１１における反時計回り方向に若干量だけ回動することにより、図１２に示すように、係合基体４１の第２開口部２０ｂの下端面２０ｐが、第２フック１２ｆの係合溝部１２ｇの開口上部の突起部１２ｐを乗り越えて、該突起部１２ｐの内方に位置するようになる。
【００５４】
そして、この時点で係合基体４１を押し下げる押し下げ力を解除すると、板バネ４６の略上向きの付勢反力によって係合基体４１が上方へ押し上げられ、図１３に示すように、係合基体４１の第２開口部２０ｂの下端面２０ｐが、第２フック１２ｆの係合溝部１２ｇの突起部１２ｐの付け根部分で受け止められ、第２開口部２０ｂを有する係合基体４１が（従って、主軸カバー部２１が）第２フック１２ｆによって係止されることとなり、トラバースカバー２０のトラバースベース１０に対する装着作業が完了する。
【００５５】
このとき、係合基体４１は板バネ４６の弾性作用により上方に付勢されているので、主軸カバー部２１は第２フック１２ｆに対して確実に係止され、しかも、この係止状態が安定して維持される。また、このとき、第２フック１２ｆの係合溝部１２ｇの突起部１２ｐは、その突起高さに相当する高さ（突出量Ｄｐ）だけ、係合基体４１の第２開口部２０ｂの下端面２０ｐから突出している。
【００５６】
更に、板バネ４６は、図１３に示されたトラバースカバー２０のトラバースベース１０に対する装着状態から、更に前記突出量Ｄｐを越える押し下げ量を確保することができるように、各部の形状および寸法ならびにバネ特性などが設定されている。
【００５７】
以上のようにして装着されたトラバースカバー２０をトラバースベース１０から取り外す際には、主軸カバー部２１の係合基体４１を、前記突出量Ｄｐを越えるに足る量だけ下方へ押し下げた後、図１２に示した状態から図１１に示した状態に係合基体４１を移動させた上で、押し下げ力を解除することにより、簡単に係合基体４１が（従って、主軸カバー部２１が）第２フック１２ｆによる係止状態が解除され、トラバースカバー２０のトラバースベース１０に対して取り外すことができる。
【００５８】
以上、説明したように、本実施の形態によれば、トラバースベース１０に対する押圧方向の力をトラバースカバー２０の主軸カバー部２１に加えて、主軸カバー部２１に設けた係合基体４１を同方向へ押し下げることで、係合基体４１と一体的に形成した板バネ４６を押圧方向およびその略直交方向に弾性変形させることができる。これにより、トラバースベース１０に設けたガイド部１６に沿って板バネ４６を移動させ、この板バネ４６と一体の係合基体４１に設けた第２開口部２０ｂをトラバースベース１０上に設けた第２フック１２ｆに係合させることができる。すなわち、トラバースベース１０に対する押圧方向の力を主軸カバー部２１に加えるだけの簡単な作業で、トラバースベース１０に対して主軸カバー部２１を装着することができ、取付スペースが比較的制約された下でも、トラバースベース１０に対するトラバースカバー２０の装着を容易に行うことができるようになる。
【００５９】
また、前記トラバースカバー２０をトラバースベース１０から取り外す際には、主軸カバー部２１を介して、前記係合基体４１を板バネ４６の付勢力に抗してトラバースベース１０側に押し込むことにより、係合基体４１の第２開口部２０ｂの第２フック１２ｆに対する係合状態が解除される。すなわち、主軸カバー部２１の係合基体４１を板バネ４６の付勢力に抗してトラバースベース１０側に押し込むだけの簡単な作業で、係合基体４１の第２開口部２０ｂの第２フック１２ｆに対する係合状態を解除して、トラバースカバー２０をトラバースベース１０から取り外すことができる。
【００６０】
更に、本実施の形態では、トラバースベース１０に対する押圧方向および該押圧方向に略直交する方向に関して弾性変形可能で係合基体４１と一体的に形成されるバネ体４６を、係合基体４１から前記ベース部材に対する押圧方向に傾斜しながら伸長する板材（板バネ）４６で構成したことにより、簡素な構造でバネ体４６を構成し、また、簡単な構造でバネ体４６を係合基体４１と一体的に形成することができる。尚、板バネとは異なる別の形態のバネ体を用いて、同様の作用を行わせることも可能である。
【００６１】
また更に、本実施の形態では、トラバースベース１０上に複数（４つ）のフック１１ｆ，１２ｆ，１３ｆ，１４ｆを設けると共に、トラバースカバー２０はこれらフックフック１１ｆ，１２ｆ，１３ｆ，１４ｆにそれぞれ係合する複数（４つ）の開口部２０ａ，２０ｂ，２０ｃ，２０ｄを備えていることにより、トラバースカバー２０全体をより安定してトラバースベース１０に装着することができる。この場合において、板バネ４６が一体的に形成された係合基体４１と板バネ４６を案内するガイド部１６を複数箇所に設けるようにしてもよい。
【００６２】
また更に、以上の説明は、光ピックアップ７移送用の主軸３１，副軸３２および駆動軸３３を含むトラバース機構部を覆うトラバースカバー２０をトラバースベース１０に対して着脱可能に取り付ける場合についてのものであったが、本開示はかかる場合に限定されるものではなく、ベース部材上の所定領域を覆うカバー体を当該ベース部材に対し着脱可能に取り付ける他の場合についても、有効に適用することができる。
【００６３】
以上のように、本出願において開示する技術の例示として、実施の形態を説明した。しかしながら、本開示における技術は、これに限定されるものではなく、適宜、変更，置き換え，付加，省略などを行った実施の形態にも適用可能である。また、上述の実施の形態で説明した各構成要素を組み合わせて、新たな実施の形態とすることも可能である。
【００６４】
また、以上の説明では、本開示における技術の例示として、実施の形態を説明し、そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
また、上述の実施の形態は、本開示における技術を例示するためのものであるから、特許請求の範囲またはその均等の範囲において種々の変更，置き換え，付加，省略などを行うことができる。
【産業上の利用可能性】
【００６５】
本開示は、ベース部材上の所定領域を覆うカバー体を当該ベース部材に対し着脱可能に取り付ける取付構造として、具体的には、例えばトラバース装置を搭載するトラバースベース上のトラバース機構部を覆うトラバースカバーを当該ベース部材に対し着脱可能に取り付ける取付構造として、有効に利用することができる。
【符号の説明】
【００６６】
１  トラバース装置
５  ピックアップユニット
６  ピックアップベース
７  光ピックアップ
１０  トラバースベース
１１ｆ  第フック
１２ｆ  第２フック
１３ｆ  第３フック
１４ｆ  第４フック
１６  ガイド部
１６ｋ  傾斜ガイド面
２０  トラバースカバー
２０ａ  第１開口部
２０ｂ  第２開口部
２０ｃ  第３開口部
２０ｄ  第４開口部
２１  主軸カバー部
２５  副軸カバー部
２９  連結カバー部
３０  トラバース機構部
３１  主軸
３２  副軸
３３  駆動軸
３５  モータ
４１  係合基体
４６  板バネ
【図１】
0005873997.tif 000002
【図２】
0005873997.tif 000003
【図３】
0005873997.tif 000004
【図４】
0005873997.tif 000005
【図５】
0005873997.tif 000006
【図６】
0005873997.tif 000007
【図７】
0005873997.tif 000008
【図８】
0005873997.tif 000009
【図９】
0005873997.tif 000010
【図１０】
0005873997.tif 000011
【図１１】
0005873997.tif 000012
【図１２】
0005873997.tif 000013
【図１３】
0005873997.tif 000014